(57)【要約】    【課題】  テーピング機能やサポーター機能を有するシャツとは異なり、着用者の上半身の正しい運動を支援する新規なカテゴリーのシャツを提供すること。  【解決手段】  着用者の上半身の動作を支援するシャツにおいて、全体として伸縮性を有する素材によって成形され、締め付け力の強い強圧領域と締め付け力の弱い弱圧領域とを有する。そして、前記強圧領域は、少なくとも、着用者の背中に相当する第１領域を含む。好ましくは、前記第１領域は、帯状領域が背中中央付近で交差したＸ字状をなす。  【選択図】  図１
2004263362.tif 000002
【特許請求の範囲】
【請求項１】
着用者の上半身の動作を支援するシャツにおいて、
全体として伸縮性を有する素材によって成形され、締め付け力の強い強圧領域と締め付け力の弱い弱圧領域とを有し、
前記強圧領域は、少なくとも、着用者の背中に相当する第１領域を含むことを特徴とするシャツ。
【請求項２】
前記第１領域は、帯状領域が背中中央付近で交差したＸ字状をなすことを特徴とする請求項１に記載のシャツ。
【請求項３】
前記第１領域は、着用者の背中中心付近に位置し、前記Ｘ字状の上半分のＶ字状領域と；着用者の腰部付近に位置し、前記Ｘ字状の下半分の逆Ｖ字状領域とから構成され、
前記逆Ｖ字状領域の方がＶ字状領域よりも締め付け力が強いことを特徴とする請求項２に記載のシャツ。
【請求項４】
前記逆Ｖ字状領域の締め付け力を最も強くしたことを特徴とする請求項３に記載のシャツ。
【請求項５】
前記強圧領域は、着用者の鎖骨から大胸筋付近を通って脇の下に延びる左右対称な帯状の第２領域を含むことを特徴とする請求項１，２，３又は４に記載のシャツ。
【請求項６】
前記強圧領域は、概ね横隔膜の下縁に沿って左右対称に水平方向に延びる２本の帯状部からなる第４領域を更に含むことを特徴とする請求項５に記載のシャツ。
【請求項７】
前記強圧領域は、前記第２領域の左右帯状領域と胸側中央付近で連結し、下方に向かって鳩尾（みぞおち）付近まで延びて、前記第４領域と連結する第５領域を更に含むことを特徴とする請求項６に記載のシャツ。
【請求項８】
前記強圧領域は、更に、着用者の肘付近でスパイラル交差するＸ字状の第３領域を含み、
前記第３領域の２本の帯状下端部が着用者の手首付近まで延び、２本の帯状上端部が前記Ｖ字状領域の上端及び前記第２領域の下端に各々連結することを特徴とする請求項１，２，３，４，５，６又は７に記載のシャツ。
【請求項９】
前記強圧領域は、着用者の腰回りを包囲する第６領域を更に含むことを特徴とする請求項１，２，３，４，５，６，７又は８に記載のシャツ。
【請求項１０】
前記シャツは複数の弾性糸を束ねて成形され、当該弾性糸の束ねる数及び／又はその間隔によって前記締め付け力を調整することを特徴とする請求項１，２，３，４，５，６，７，８又は９に記載のシャツ。
【請求項１１】
前記シャツは経編機によって編み立てられた生地を用いて成形されることを特徴とする請求項１，２，３，４，５，６，７，８又は９に記載のシャツ。
【請求項１２】
着用者の上半身の動作を支援するシャツにおいて、
全体として伸縮性を有する素材によって成形され、締め付け力の強い強圧領域と締め付け力の弱い弱圧領域とを有し、
前記強圧領域は、帯状領域が背中中央付近で交差したＸ字状をなす第１領域と；着用者の鎖骨から大胸筋付近を通って脇の下に延びる左右対称な帯状の第２領域と；着用者の肘付近でスパイラル交差するＸ字状の第３領域とを含み、
前記第１領域は、着用者の背中中心付近に位置し、前記Ｘ字状の上半分のＶ字状領域と；着用者の腰部付近に位置し、前記Ｘ字状の下半分の逆Ｖ字状領域とから構成され、
前記第３領域の２本の帯状下端部が着用者の手首付近まで延び、２本の帯状上端部が前記Ｖ字状領域の上端及び前記第２領域の下端に各々連結することを特徴とするシャツ。
【請求項１３】
前記Ｖ字領域、逆Ｖ字領域、第２領域、第３領域及び前記弱圧領域の締め付け力を、各々Ｐ１ａ，Ｐ１ｂ、Ｐ２，Ｐ３，Ｐ０とした場合に、Ｐ１ｂ＝Ｐ３＞Ｐ１ａ＝Ｐ２＞Ｐ０とすることを特徴とする請求項１２に記載のシャツ。
【請求項１４】
ＪＩＳ  １０１８に規定の方法で計測した場合に、前記逆Ｖ字領域及び第３領域の最大伸度（伸び率）を約１２０％、前記Ｖ字領域及び第２領域の最大伸度（伸び率）を約１５０％、前記弱圧領域の最大伸度（伸び率）を約２００％とすることを特徴とする請求項１３に記載のシャツ。
【請求項１５】
前記シャツは複数の弾性糸を束ねて成形され、当該弾性糸の束ねる数及び／又はその間隔によって前記締め付け力を調整することを特徴とする請求項１２，１３又は１４に記載のシャツ。
【請求項１６】
前記タイツは経編機によって編み立てられた生地を用いて成形されることを特徴とする請求項１２，１３又は１４に記載のシャツ。
【発明の詳細な説明】
【技術分野】
【０００１】
本発明は、着用者の上半身の運動を支援する新規なカテゴリーのシャツに関する。
【背景技術】
【０００２】
現在では、一般的な下着と異なり、着用者の上半身の運動をサポートするシャツが提案、普及している。この種のシャツは、テーピング機能やサポーター機能を有するものであり、特定の部位を強力にサポートしたり、制動したりする。シャツではないが、テーピング機能やサポーター機能を有する同様の構造のタイツについては、下記の特許文献に示されている。
【０００３】
【特許文献１】特開２００１−２１４３０３
【発明の開示】
【発明が解決しようとする課題】
【０００４】
本発明は、テーピング機能やサポーター機能を有するシャツとは異なり、着用者の上半身の正しい運動を支援する新規なカテゴリーのシャツを提供することを目的とする。
【課題を解決するための手段】
【０００５】
上記のような目的を達成するために、本発明に係るシャツは、着用者の上半身の動作を支援するシャツにおいて、全体として伸縮性を有する素材によって成形され、締め付け力の強い強圧領域と締め付け力の弱い弱圧領域とを有する。そして、前記強圧領域は、少なくとも、着用者の背中に相当する第１領域を含む。好ましくは、前記第１領域は、帯状領域が背中中央付近で交差したＸ字状をなす。
【０００６】
背中に締め付け力の強い領域を形成することにより、当該シャツを着用した際に、着用者が胸を張り、背筋を伸ばして良い姿勢を保ち易くなる。また、前記Ｘ字状の上半分のＶ字状領域と下半分の逆Ｖ字状領域とから構成し、前記Ｖ字状領域の方が逆Ｖ字状領域よりも締め付け力が強くすることが好ましい。逆Ｖ字状領域は、着用者の腰部に位置するため、人間が姿勢を保つために最も重要な腰が曲がり難くなり、腰の伸びた正しい姿勢を採りやすくなる。一般に、腹筋と背筋のバランスが崩れると腰痛の原因となる。本発明に係るシャツは、腹筋と背筋を理想のバランスに近づけ、腰を安定させる。また、背腰中心部の締め付け力を強めることにより、当該箇所に意識を集中させ、正しい歩行姿勢を導く。
【０００７】
全体としては、締め付け力の強い部分が抵抗となり、弱い方向への曲げ伸ばしを導くようになる。但し、ここで言う強い抵抗とは、全く動かすことができないような抵抗ではなく、他の部位に対して相対的に強いと感じられる程度の抵抗である。すなわち、本発明においては、装具、テーピング、サポーターのように、局部を強く支えたり、制動したりするのではなく、人間の骨関節にとって合理的な正しい動きを導くものであり、関節骨筋肉全体を楽に動かせるように支援するものである。
【０００８】
また、着用者の鎖骨から大胸筋付近を通って脇の下に延びる左右対称な帯状の第２領域を形成すれば、肩を後方に引く際に抵抗が働き、肩が必要以上に後方に引け難くなる。例えば、野球選手が肩を痛めるのを予防することが可能となる。
【０００９】
着用者の肘付近でスパイラル交差するＸ字状の第３領域を形成し、２本の帯状下端部が着用者の手首付近まで延び、２本の帯状上端部が前記Ｖ字状領域の上端及び前記第２領域の下端に各々連結する構造とすれば、肘が自然に正しい方向に誘導される。
【００１０】
強圧領域として、概ね横隔膜の下縁に沿って左右対称に水平方向に延びる２本の帯状部からなる第４領域を形成すれば、着用者は自然に胸を張った状態を維持しやすくなり、呼吸を楽にし、結果として疲れにくくなるという効果が期待できる。
【００１１】
強圧領域として、前記第２領域の左右帯状領域と胸側中央付近で連結し、下方に向かって鳩尾（みぞおち）付近まで延びて、前記第４領域と連結する第５領域を更に形成すれば、鎖骨付近の第２領域と肋骨下縁付近の第４領域の相乗効果により、各領域の効果が更に顕著になる。
【００１２】
強圧領域として、着用者の腰回りを包囲する第６領域を更に含む構成とすれば、腰を安定させ、正しい歩行姿勢へと導き、腰への負担軽減の効果がある。なお、特願２００４−８７３０に記載されたタイツと併用することにより、更に効果が大きくなる。
【００１３】
以上、６つの領域の締め付け力を強くすることについて示したが、本発明においては、これらの領域を用途に応じて適宜組み合わせて採用することができる。
【００１４】
本発明において、例えば、複数の弾性糸を束ねてシャツを成形するとともに、当該弾性糸の束ねる数及び／又はその間隔を変化させることで締め付け力の調整を行うことができる。
あるいは、経編機によって編み立てられた生地を用いて本発明に係るシャツを成形することができる。この場合には、丸編みの場合に比べて表面の凹凸が減少した滑らかな風合いとなり、意匠的に優れた感じとなる。また、編上がりの状態が平坦となるため、商品としてディスプレイし易く、包装もし易くなるというメリットがある。更に、シャツの締め付け力の微妙な調整を容易に行うことができるという利点もある。
【００１５】
本発明のシャツは、例えば、肩こりの予防又は解消、スポーツを行う際の運動効率向上、成長過程の子供の好ましくない骨関節形成の防止等の目的で使用可能である。
【００１６】
締め付け力の分布としては、例えば、Ｖ字領域、逆Ｖ字領域、第２領域、第３領域及び弱圧領域の締め付け力を、各々Ｐ１ａ，Ｐ１ｂ、Ｐ２，Ｐ３，Ｐ０とした場合に、Ｐ１ｂ＝Ｐ３＞Ｐ１ａ＝Ｐ２＞Ｐ０とする。更に具体的には、ＪＩＳ  １０１８に規定の方法で計測した場合に、例えば、逆Ｖ字領域及び第３領域の最大伸度（伸び率）を約１２０％、Ｖ字領域及び第２領域の最大伸度（伸び率）を約１５０％、弱圧領域の最大伸度（伸び率）を約２００％とする。
【００１７】
本発明に係るシャツの着用による派生的な効果として、筋肉に適度な圧力を加えることにより、マッサージ効果が得られ、且つ、運動後のクールダウン効果により、疲労を緩和させる効果が期待できる。
【発明を実施するための最良の形態】
【００１８】
図１は、本発明の実施例に係るインナーシャツ１０を着用した様子を着用者の前方から見た斜視図である。図２は、シャツ１０を着用した様子を着用者の後方から見た斜視図である。図３は、シャツ１０の締め付け力の強弱分布を示す平面図（正面図）である。図４は、シャツ１０の締め付け力の強弱分布を示す平面図（裏面図）である。本実施例のシャツ１０は、特に日常の着用に適しているが、スポーツを行う際に着用することもできる。
【００１９】
シャツ１０の素材としては、例えば、ナイロン８５％、ポリウレタン１５％の伸縮性に優れた素材を使用する。例えば、複数の弾性糸を束ねた構造とし、当該弾性糸の束ねる数・間隔によって締め付け力を調整する。
【００２０】
本実施例に係るシャツ１０は、全体として伸縮性を有する素材によって成形され、締め付け力の強い強圧領域（１４〜１８）と締め付け力の弱い弱圧領域（１２）とを有する。強圧領域は、帯状領域が背中中央付近で交差したＸ字状をなす第１領域（１８Ａ，１８Ｂ）と；着用者の鎖骨から大胸筋付近を通って脇の下に延びる左右対称な帯状の第２領域（１４Ｒ，１４Ｌ）と；着用者の肘付近でスパイラル交差するＸ字状の第３領域（１６Ｒ，１６Ｌ）とを含む。なお、図３及び図４において、白抜きで示された領域が弱圧領域となる。
【００２１】
ここで、第１領域（１８Ａ，１８Ｂ）は、着用者の背中中心付近に位置し、Ｘ字状の上半分のＶ字状領域１８Ａと；着用者の腰部付近に位置し、Ｘ字状の下半分の逆Ｖ字状領域１８Ｂとから構成される。また、第３領域（１６Ｒ，１６Ｌ）の２本の帯状下端部が着用者の手首付近まで延び、２本の帯状上端部がＶ字状領域１８Ａの上端及び第２領域１４Ｒ，１４Ｌの下端に各々連結する。
【００２２】
本実施例のシャツは、着用者の体格にもよるが、図３及び図４に示す平面状態において、バスト幅Ｂ＝約２５〜４０ｃｍ、裾部幅Ｗ＝約２５〜４０ｃｍ、袖長さＡ＝１５〜２０ｃｍ（半袖）、３０〜４５ｃｍ（長袖）、手首幅Ｃ＝７〜１０ｃｍ、総丈＝５０〜７５ｃｍとすることができる。また、本実施例に係るシャツは基本的には下着として使用するため、生地の厚さは比較的薄く、例えば、約０．７ｍｍ〜１．４ｍｍ程度とする。全体の重さは、例えば、約１１０ｇ〜１２０ｇ程度とする。
【００２３】
締め付け力の分布としては、例えば、Ｖ字領域１８Ａ、逆Ｖ字領域１８Ｂ、第２領域１４Ｒ，１４Ｌ、第３領域１６Ｒ，１６Ｌ及び弱圧領域１２の締め付け力を、各々Ｐ１ａ，Ｐ１ｂ、Ｐ２，Ｐ３，Ｐ０とした場合に、Ｐ１ｂ＝Ｐ３＞Ｐ１ａ＝Ｐ２＞Ｐ０とする。更に具体的には、ＪＩＳ  １０１８に規定の方法で計測した場合に、例えば、逆Ｖ字領域１８Ｂ及び第３領域１６Ｒ，１６Ｌの最大伸度（伸び率）を約１２０％、Ｖ字領域１８Ａ及び第２領域１４Ｒ，１４Ｌの最大伸度（伸び率）を約１５０％、弱圧領域１２の最大伸度（伸び率）を約２００％とする。
【００２４】
ここで、「伸度」とは、引っ張り力を与えない平常時から一定の引っ張り力を与えた時の伸びの度合いを相対的に示すものであり、ＪＩＳ  １０１８に規定された方法で測定される。「最大伸度」は、請求項に示す「締め付け力」と反比例するものであり、最大伸度が大きいほど締め付け力が小さいことになる。
【００２５】
本実施例において、シャツの最大伸度（締め付け力）の調整は、生地の編み立てを行う際に、タック（かぶり）及びミス（フロート）の大きさ、数、組合せによって行う。タック幅を大きくすることによって、強度が強くなる。図５は、シャツ１０の拡大断面を示す。最も締め付け力の強い逆Ｖ字領域１８Ｂ，第３領域１６Ｒ，１６Ｌは、例えば、（Ａ）図のように、タックとミスが交互に３：１：２：２の割合で配列するようにする。また、Ｖ字領域１８Ａ，第２領域１４Ｒ，１４Ｌは、例えば、（Ｂ）図のように、タックとミスが交互に２：２：２：２の割合で配列するようにする。
【００２６】
以上、実施例について説明したが、使用する用途、スポーツの種類に応じて、肘部のライン１６Ｒ，１６Ｌの締め付け力を変えたり、排除したりすることもできる。当然、半袖の場合には、当該ライン１６Ｒ，１６Ｌは形成できない。
【００２７】
図６は、本発明の他の実施例に係るシャツ１００を着用した様子を着用者の前方から見た斜視図である。また、図７は、図６に示す実施例に係るシャツ１００を着用した様子を着用者の後方から見た斜視図である。本実施例は、先に説明した実施例と基本的に同じ構造、コンセプトであるが、強圧領域の位置が異なる。先に説明した実施例と共通の部分については、重複した説明は省略する。
【００２８】
本実施例においては、強圧領域として、概ね横隔膜の下縁に沿って左右対称に水平方向に延びる２本の帯状部からなる第４領域１０４を形成している。これにより、着用者は自然に胸を張った状態を維持しやすくなり、呼吸を楽にし、結果として疲れにくくなるという効果が期待できる。
【００２９】
また、強圧領域として、第２領域１１４Ｒ、１１４Ｌの左右帯状領域と胸側中央付近で連結し、下方に向かって鳩尾（みぞおち）付近まで延びて、第４領域１０４と連結する第５領域１０２を更に形成している。これにより、鎖骨付近の第２領域１１４Ｒ、１１４Ｌと、ろっ骨下縁付近の第４領域１０４との相乗効果により、各領域の効果が更に顕著になる。なお、本実施例の第２領域１１４Ｒ、１１４Ｌは先の実施例の第２領域１４Ｒ、１４Ｌに対応する。
【００３０】
更に、本実施例においては、強圧領域として、着用者の腰回りを包囲する第６領域１０６を形成している。これにより、着用者の腰を安定させ、正しい歩行姿勢へと導き、腰への負担を軽減させることが可能となる。なお、特願２００４−８７３０に記載されたタイツと併用することにより、更に効果が大きくなる。
【００３１】
以上、図１〜図７を用いて２つの実施例について説明したが本発明においては、第１〜第６の強圧領域を用途に応じて適宜組み合わせて採用することができる。例えば、肘にあたる第３領域については、野球等の肘に負担の掛かるスポーツ以外では採用しない構造とすることも可能である。また、用途に応じて強圧領域、弱圧領域の締め付け力を適宜変更することが望ましい。
【００３２】
本発明において、例えば、複数の弾性糸を束ねてシャツを成形するとともに、当該弾性糸の束ねる数及び／又はその間隔を変化させることで締め付け力の調整を行うことができる。すなわち、丸編みで生地を成形し、シャツの最大伸度（締め付け力）の調整は、タック（かぶり）及びミス（フロート）の大きさ、数、組合せによって行うことができる。あるいは、経編機を用いた経編みによって生地を編み立てることができる。経編機を使用することにより、丸編みの場合に比べて表面の凹凸が減少し、意匠的に優れた感じとなる。また、編上がりの状態が平坦となるため、商品としてディスプレイし易く、包装もし易くなるというメリットがある。更に、シャツの締め付け力の微妙な調整を容易に行うことができるという利点もある。具体的な編み方については、特開昭６２−２２３３５１号公報に開示された方法を採用することができる。
【００３３】
本実施例に係るインナーシャツ１０を着用する場合には、特別な動きをすることなく、自然な動作（日常的な動作）をするだけで、その効果が得られる。もちろん、スポーツをする際にも、骨関節の正しい動きが導かれるため、技術の向上、疲労の低減等の効果がある。
【００３４】
以上、本発明の実施例について説明したが、本発明はこれらの実施例に何ら限定されるものではなく、特許請求の範囲に示された技術的思想の範疇において変更可能なものである。
【図面の簡単な説明】
【００３５】
【図１】図１は、本発明の実施例に係るシャツを着用した様子を着用者の前方から見た斜視図である。
【００３６】
【図２】図２は、本発明の実施例に係るシャツを着用した様子を着用者の後方から見た斜視図である。
【００３７】
【図３】図３は、実施例に係るシャツの締め付け力の強弱分布を示す平面図（正面図）である。
【００３８】
【図４】図４は、実施例に係るシャツの締め付け力の強弱分布を示す平面図（裏面図）である。
【００３９】
【図５】図５は、実施例に係るシャツの拡大断面を示す。
【００４０】
【図６】図６は、本発明の他の実施例に係るシャツを着用した様子を着用者の前方から見た斜視図である。
【００４１】
【図７】図７は、図６に示す実施例に係るシャツを着用した様子を着用者の後方から見た斜視図である。
【符号の説明】
【００４２】
１０，１００    シャツ
１２    本体部（弱圧領域）
１４Ｒ（１１４Ｒ），１４Ｌ（１１４Ｌ）    第２領域
１６Ｒ，１６Ｌ    第３領域
１８Ａ    第１領域・背部Ｖ字領域
１８Ｂ    第１領域・腰部逆Ｖ字領域
１０２    第４領域
１０４    第５領域
１０６    第６領域
【図１】
2004263362.tif 000003
【図２】
2004263362.tif 000004
【図３】
2004263362.tif 000005
【図４】
2004263362.tif 000006
【図５】
2004263362.tif 000007
【図６】
2004263362.tif 000008
【図７】
2004263362.tif 000009